(57)【特許請求の範囲】
【請求項１】
ヒンジ部により折畳み可能に結合された第１の筐体及び第２の筐体と、
前記第１の筐体の前記第２の筐体に対面する面に配置される凸部と、
前記第２の筐体の前記第１の筐体に対面する面に配置され、前記第２の筐体を前記第１の筐体に折り畳んだ状態で前記凸部に嵌合する凹部
とを具備する電子機器であって、
前記凸部の内部に配置される発光手段を具備し、
前記凸部が、前記発光手段の出力光を外部に導く導光部材からなり、
前記凹部は前記第２の筐体の側端面に開口する開口部を有し、折り畳んだ状態で前記開口部から前記導光部材を外部より視認可能に露出させる
ことを特徴とする電子機器。
【請求項２】
ヒンジ部により折畳み可能に結合された第１の筐体及び第２の筐体と、
前記第１の筐体の前記第２の筐体に対面する面に配置される凸部と、
前記第２の筐体の前記第１の筐体に対面する面に配置され、前記第２の筐体を前記第１の筐体に折り畳んだ状態で前記凸部に嵌合する凹部
とを具備する電子機器であって、
前記凸部の内部に配置される受光手段を具備し、
前記凸部が、外部からの光信号を前記受光手段に導く導光部材からなり、
前記凹部は前記第２の筐体の側端面に開口する開口部を有し、折り畳んだ状態で前記開口部から前記導光部材を外部より視認可能に露出させる
ことを特徴とする電子機器。
【請求項３】
前記凸部は、前記第１の筐体の、前記第２の筐体と対面しない端面にもあることを特徴とする請求項１または２に記載の電子機器。
【請求項４】
更に、前記凹部の内側に、前記第１の筐体と前記第２の筐体を折り畳んだ状態を検出する検出手段を具備することを特徴とする請求項１ないし３の何れか１項に記載の電子機器。
【請求項５】
前記第１の筐体が撮像装置の本体であり、前記第２の筐体が前記撮像装置の表示部であることを特徴とする請求項１ないし４の何れか１項に記載の電子機器。
【請求項６】
前記第１の筐体が撮像装置の表示部であり、前記第２の筐体が前記撮像装置の本体であることを特徴とする請求項１ないし４の何れか１項に記載の電子機器。
【発明の詳細な説明】
【技術分野】
【０００１】
本発明は、電子機器に関し、より具体的には、ヒンジ部により折畳み可能に結合された第１及び第２の筐体からなる電子機器に関する。
【背景技術】
【０００２】
従来の撮像装置には、赤外線リモコン装置により遠隔制御できるものがある。そのような撮像装置は、例えば、本体前面に赤外線受光素子（以下、ＩＲ受光素子という）を持った赤外線受光部（以下、ＩＲ受光部という）を設ける（例えば特許文献１）。
【０００３】
近年、半導体不揮発性メモリの大容量化により、メモリカード形式の着脱自在の記録媒体が種々の分野で使用されるようなってきている。メモリカードへのアクセス中（データ書き込み又はデータ読み出し中）に、ユーザが、メモリカードを取り出すと、データを失うだけでなく、メモリカード自体を破壊することもあります。そこで、通常、記録媒体へのアクセス中をユーザに通知するアクセス通知手段を設けることが多い。例えば、記録媒体へのアクセス中に点灯又は点滅する発光ダイオードからなるアクセスランプを設ける。このようなアクセス通知手段は、メモリカードを挿入するメモリカードスロットの近傍に、しかも、外装の表面と同一面上又は内部に配置するのが普通である。
【０００４】
また、多くのビデオカメラは、液晶表示パネルを２軸ヒンジ機構を介してカメラ本体に連結し、液晶表示パネルをカメラ本体の側面に折り畳めるようにしている。液晶表示パネルを本体の側面に密接させる収納状態では、液晶表示パネルの振れを防ぐため、液晶表示パネルを本体に係止するようにする。例えば、液晶表示パネルと本体の互いに対面する面の一方に凸部を設け、他方に、当該凸部と密接に嵌合する凹部を設ける方法が知られている。
【０００５】
液晶表示パネルの開閉を検出する開閉検出スイッチをヒンジ機構の近辺に配置する構成も知られている。
【０００６】
図２２は、従来のビデオカメラの外観斜視図を示す。液晶表示パネルを閉じた状態で隠蔽される、本体の側面に、アクセスランプ３１０が配置されている。アクセスランプ３１０は、取付け面３１２とほぼ同一面に配置されている。アクセスランプ３１０はカードメディア（記録媒体）のアクセス時に発光し、これにより、ユーザにアクセス中にカードメディアを抜かないように警告する。ユーザは、撮影スタンバイ時及び撮影時には、本体の背面から矢印Ｊの方向にアクセスランプ３１０を見ることになり、アクセスランプ３１０を視認しづらい。また、液晶表示パネルを本体の側面に折り畳んだ又は収納した状態で、液晶表示パネルが振れないようにするために、本体に凸部３１４に設け、液晶表示パネルの、当該凸部３１４に対面する位置に凹部３１６を設ける。
【特許文献１】特開平１０−２７１４２９号公報
【発明の開示】
【発明が解決しようとする課題】
【０００７】
アクセスランプを取付け面とほぼ同一面に配置すると、視認性が低い。同様に、ＩＲ受光部をその取付け面と同一の面に配置する受光範囲が制限される。
【０００８】
このような問題は、ビデオカメラのみならず、２つの筐体を折り畳めるようにした電子機器にも共通する課題である。
【０００９】
本発明は、省スペース化を促進しつつ、光学手段の視認性又は受光性能を改善した電子機器を提示することを目的とする。
【課題を解決するための手段】
【００１０】
本発明に係る電子機器は、ヒンジ部により折畳み可能に結合された第１の筐体及び第２の筐体と、前記第１の筐体の前記第２の筐体に対面する面に配置される凸部と、前記第２の筐体の前記第１の筐体に対面する面に配置され、前記第２の筐体を前記第１の筐体に折り畳んだ状態で前記凸部に嵌合する凹部とを具備する電子機器であって、前記凸部の内部に配置される発光手段を具備し、前記凸部が、前記発光手段の出力光を外部に導く導光部材からなり、前記凹部は前記第２の筐体の側端面に開口する開口部を有し、折り畳んだ状態で前記開口部から前記導光部材を外部より視認可能に露出させることを特徴とする。
【００１１】
本発明に係る電子機器は、ヒンジ部により折畳み可能に結合された第１の筐体及び第２の筐体と、前記第１の筐体の前記第２の筐体に対面する面に配置される凸部と、前記第２の筐体の前記第１の筐体に対面する面に配置され、前記第２の筐体を前記第１の筐体に折り畳んだ状態で前記凸部に嵌合する凹部とを具備する電子機器であって、前記凸部の内部に配置される受光手段を具備し、前記凸部が、外部からの光信号を前記受光手段に導く導光部材からなり、前記凹部は前記第２の筐体の側端面に開口する開口部を有し、折り畳んだ状態で前記開口部から前記導光部材を外部より視認可能に露出させることを特徴とする。
【発明の効果】
【００１２】
本発明によれば、第１及び第２の筐体の振れ止めに使用する凸部を導光手段として使用することで、発光による警告／光信号の受光の性能を向上させることができる。また、省スペースを図ることができる。
【発明を実施するための最良の形態】
【００１３】
以下、図面を参照して、本発明の実施例を詳細に説明する。
【実施例１】
【００１４】
図１及び図２は、本発明に係る電子機器の一実施例であるビデオカメラの外観斜視図を示す。本体１０と表示部１２が、それらの端部におけるヒンジ機構により折畳み可能に結合されている。本体１０と表示部１２は、それぞれ、特許請求の範囲の第１の筐体及び第２の筐体またはその逆に対応する。図１は、表示部１２を本体１０から開いた又は展開した状態を示す。図２は、表示部１２を本体１０の側面に密接する位置に折り畳んだ状態又は収納した状態を示す。本体１０の側面から背面に渡って凸部１４を設ける。そして、表示部１２の本体１０に対面する内面には、表示部１２を本体１０の側面に折り畳んだときに凸部１４と嵌合する凹部１６を設ける。本体１０の背面にカラービューファインダ１８が配置されている。凸部１４は、後述する発光ダイオードの光を外部に導く透明又は半透明な導光部材からなる。
【００１５】
図３は、表示部１２の内部構造を示す。表示部１２は、ヒンジ部２０により本体１０に可動に結合されている。表示部１２と本体１０はまた、フレキシブルプリント配線板（ＦＰＣ）２２によって電気的に接続されている。
【００１６】
表示部１２の内部構造を簡単に説明する。液晶ディスプレイ（ＬＣＤ）２４の背面にバックライト２６を配置する。基板２８つきのホルダー３０が、ＬＣＤ２４及びバックライト２６を抱え込むように保持する。基板２８はホルダー３０にビス３２で締結されている。ＬＣＤ２４、バックライト２６、及びＦＰＣ２２は、基板２８に電気的に接続されている。
【００１７】
図４は、図３のＢ部の拡大斜視図を示す。凸部１４が凹部１６と係合している様子を示す。凸部１４と凹部１６の係合により、表示部１２が本体１０の側面に密接したときに、表示部１２の上下方向の振れを防止する。本体１０の側面から背面に渡って凸部１４を設けることで、最大限の振れ防止効果を得られる。
【００１８】
図５は、本体１０の簡単な内部構造を示す。凸部１４は外部より強い力で押される可能性がある。これに耐え得るように、凸部１４は、ビス４０により本体１０の外装カバーに留められている。撮像レンズ４２が正面側に配置される。基板４４上に、記録媒体であるメモリカードのためのスロット４６を設ける。スロット４６を凸部１４の近傍に配置することにより、ユーザは、メモリカードの挿抜時に必ず凸部１４を視認できる。本実施例では、凸部１４の隣にスロット４６を配置した。凸部１４の内側には発光ダイオード（ＬＥＤ）４８を配置してある。ＬＥＤ４８の発生光は、凸部１４を低損失で伝搬して、外部に放射される。ＬＥＤ４８は、スロット４６に装着されたメモリカードへのアクセス時に発光する。
【００１９】
本体１０の側面から背面に渡って凸部１４を設けることで、ユーザは、表示部１２を開いているか折り畳んでいるかに関わらず、本体１０の背面からＬＥＤ４８の発光を視認できる。また、表示部１２を開いているときには、本体１０の側面方向からもＬＥＤ４８の発光を視認できる。
【００２０】
図６は、凹部１６の拡大斜視図を示す。凹部１６は表示部１２の側端面で、符号５０で示すように開口している。これによっても、表示部１２を本体１０に密接させた状態でも、ユーザは、ＬＥＤ４８の発光の有無を本体１０の背面から確認できる。即ち、カラービューファインダ１８を使用しての撮影のときでも、メモリカードへのアクセス状況を確認できる。
【００２１】
図７は、表示部１２を最大限に開いた状態の斜視図を示す。凸部１４は、本体１０の表示部収納面１０ａと本体背面１０ｂの両方から突出している。また、凹部１６の内部に、表示部１２の折畳みを検出する検出器５２を配置してある。検出器５２は、凹部１６内に埋もれており、ユーザは触ることができない。検出器５２は、表示部１２を折り畳むと、凸部１４により押圧される。これにより、表示部１２を本体１０に折り畳んだ状態（収納状態）を検出できる。
【００２２】
図８は、表示部１２を折り畳んだ状態の側面図を示し、図９は、図８のＣ−Ｃ線での断面図を示す。検出器５２は基板２８上に実装されている。検出器５２は、基板２８に対して垂直な方向に押されることオフからオン（またはオンからオフ）に遷移するスイッチである。例えば、凸部１４が凹部１６に嵌合すると、検出器５２のスイッチがオフからオンになる。検出器５２により、表示部１２が収納状態か非収納状態かを判別できる。凸部１４は、表示部１２が収納状態か非収納状態かを検出する手段の一要素となる。
【００２３】
本実施例では、凸部１４にアクセスランプの機能を持たせる。凸部１４を背面側にも設けるか、凹部１６を背面側にも開口することで、表示部１２が収納状態か否かに関わらず、アクセスランプの視認性が向上する。表示部１２の振れ止めのための凸部１４と凹部１６にアクセスランプの機能と表示部１２の収納検出機能を持たせているので、省スペース化を図ることができる。
【実施例２】
【００２４】
実施例１では、本体側に凸部を、表示部側に凹部を設けたが、この逆でもよい。
【００２５】
図１０及び図１１は、本発明の第２実施例であるビデオカメラの外観斜視図を示す。本体１１０と表示部１１２が、これらの端部でヒンジ機構により折畳み可能に結合されている。図１０は、表示部１１２を本体１１０から開いた又は展開した状態を示す。図１１は、表示部１１２を本体１１０の側面に密接する位置に折り畳んだ状態又は収納した状態を示す。表示部１１２の内面（表示面側）から背面に渡って凸部１１４を設け、本体１１０には、表示部１１２を本体１１０の側面に折り畳んだときに凸部１１４と嵌合する凹部１１６を設けてある。本体１１０の背面にカラービューファインダ１１８が配置されている。凸部１１４は、後述する発光ダイオードの光を外部に導く透明又は半透明な導光部材からなる。表示部１１２にメモリカード１１９を装着するスロットを設ける。
【００２６】
図１２は、表示部１１２の内部構造を示す。表示部１１２は、ヒンジ部１２０により本体１１０に結合されている。表示部１１２と本体１１０はまた、ＦＰＣ１２２によって電気的に接続されている。
【００２７】
表示部１１２の内部構造を簡単に説明する。ＬＣＤ１２４の背面にバックライト１２６を配置する。基板１２８つきのホルダー１３０が、ＬＣＤ１２４及びバックライト１２６を抱え込むように保持する。基板１２８はホルダー１３０にビス１３２で締結されている。基板１２８にはメモリカード１１９用のスロット１３４が実装されている。ＬＣＤ１２４、バックライト１２６及びＦＰＣ１２２は、基板１２８に電気的に接続されている。
【００２８】
図１３は、図１２のＦ部の拡大斜視図を示す。凸部１１４が凹部１１６と係合している様子を示す。凸部１１４と凹部１１６の係合により、表示部１１２が本体１１０の側面に密接したときに、表示部１１２の上下方向の振れを防止する。表示部１１２の内面から背面に渡って凸部１１４を設けることで、最大限の振れ防止効果を得られる。凸部１１４は、外部から強い力で押される可能性があるので、ビスで表示部１１２の外装カバーに留められている。後述する発光ダイオードによる凸部１１４の照明が、メモリカードのアクセスをユーザに認知させる。このため、スロット１３４を凸部１１４の近傍に配置する。
【００２９】
図１４は、表示部１１２を折り畳んだ状態の側面図を示し、図１５は、図１４のＧ−Ｇでの断面図を示す。基板１２８上には、スロット１３４以外にもＬＥＤ１４０が実装されている。ＬＥＤ１４０は、スロット１３４に装着されたメモリカード１１９へのアクセス時に発光する。メモリカード１１９へのアクセス中をユーザに知らせるためである。ＬＥＤ１４０の出力光は、凸部１１４を照明する。この照明光は、凸部１１４を構成する導光部材を伝搬して外部に放射される。ユーザは、凸部１１４を介して発光ダイオード１４０の発光を視認できる。
【００３０】
図１５に示すように、凹部１１６の内部に、表示部１１２の折畳みを検出する検出器１４２を配置してある。検出器１４２は、凹部１１６内に埋もれており、ユーザは触ることができない。検出器１４２は、表示部１１２を折り畳むと、凸部１１４により押圧される。これにより、表示部１１２を本体１１０に折り畳んだ状態（収納状態）を検出できる。
【００３１】
検出器１４２は基板１４４上に実装されている。検出器１４２は、基板１４４に対して平行な方向に押されることでオフからオン（またはオンからオフ）に状態が遷移するスイッチである。例えば、凸部１１４が凹部１１６に嵌合すると、検出器１４２のスイッチがオフからオンになる。検出器１４２により、表示部１１２が収納状態か非収納状態かを判別できる。凸部１１４は、表示部１１２が収納状態か非収納状態かを検出する手段の一要素となる。
【００３２】
図１６は、凹部１１６の拡大斜視図を示す。凹部１１６は、凹部１６と同様に、本体１１０の背面で開口している。これにより、表示部１１２を本体１１０に密接させた状態でも、ユーザは、ＬＥＤ１４０の発光の有無を本体１１０の背面から確認できる。即ち、カラービューファインダ１１８を使用しての撮影のときでも、メモリカード１１９へのアクセス状況を確認できる。
【００３３】
図１７は凸部１１４の拡大斜視図を示す。図１７から分かるように、凸部１１４は、表示部１１２の表示側の内面１１２ａと側端面１１２ｂの両方に突出している。このような構成により、凸部１１４の内部に配置される発光ダイオード１４０の発光状況を視認できる角度が広がり、より視認性が向上する。
【００３４】
本実施例では、凸部１１４にアクセスランプの機能を持たせる。凹部１１６を背面側にも開口させるか、凸部１１４を背面側にも配置することで、表示部１１２が収納状態か否かに関わらず、アクセスランプの視認性が向上する。表示部１１２の振れ止めのための凸部１１４と凹部１１６にアクセスランプの機能と表示部１１２の収納検出機能を持たせているので、省スペース化を図ることができる。
【実施例３】
【００３５】
図１８は、凸部をアクセスランプとしてではなく、ＩＲ受光部として使用する本発明の実施例３の表示部の斜視図を示す。凸部２１４は、実施例２の凸部１１４に対応しており、本体側の構成は、実施例２と同じである。実施例２との相違部分を説明する。
【００３６】
実施例３では、図１９に示すように、凸部２１４の内部に受光手段としてのＩＲ受光素子２１６を配置する。図１９は、表示部の内部構成を示す斜視図である。図２０は、表示部を折り畳んだ状態の側面図を示し、図２１は、図２０のＨ−Ｈでの断面図を示す。図２１に示すように、凸部２１４は、表示部の表示面側の外装２１８から突出している。これにより、赤外光の受光範囲が拡がり、ＩＲ受光性が向上する。
【００３７】
本実施例では、凸部２１４を、表示部の振れ止めと赤外線光信号の導光に利用し、背面側に突出させることで、ＩＲ受光性能が向上する。２つの機能を持たせることで、省スペース化を図ることができる。
【図面の簡単な説明】
【００３８】
【図１】本発明の実施例１の表示部を開いた状態の外観斜視図である。
【図２】実施例１の表示部を折り畳んだ状態の外観斜視図である。
【図３】実施例１の表示部の内部構造を示す図である。
【図４】図３のＢ部の詳細図である。
【図５】実施例１の本体の内部構造を示す図である。
【図６】図１のＡ部の拡大図である。
【図７】実施例１の表示部を開いた状態の斜視図である。
【図８】実施例１の表示部を折り畳んだ状態の側面図である。
【図９】図８のＣ−Ｃ線から見た断面図である。
【図１０】本発明の実施例２の表示部を開いた状態の外観斜視図である。
【図１１】実施例２の表示部を折り畳んだ状態の外観斜視図である。
【図１２】実施例２の表示部の内部構造を示す図である。
【図１３】図１２のＦ部の詳細図である。
【図１４】実施例２の表示部を折り畳んだ状態の側面図である。
【図１５】図１４のＧ−Ｇ線から見た断面図である。
【図１６】図１０のＤ部の拡大図である。
【図１７】図１０のＥ部の拡大図である。
【図１８】実施例３の表示部を開いた状態の斜視図である。
【図１９】実施例３の表示部の内部構造を示す図である。
【図２０】実施例３の表示部を折り畳んだ状態の側面図である。
【図２１】図２０のＨ−Ｈ線から見た断面図である。
【図２２】従来例の表示部を開いた状態の外観斜視図である。
【符号の説明】
【００３９】
１０：本体
１０ａ：表示部収納面
１０ｂ：本体背面
１２：表示部
１４：凸部
１６：凹部
１８：カラービューファインダ
２０：ヒンジ部
２２：フレキシブルプリント配線板（ＦＰＣ）
２４：液晶ディスプレイ（ＬＣＤ）
２６：バックライト
２８：基板
３０：ホルダー
３２：ビス
４０：ビス
４２：撮像レンズ
４４：基板
４６：スロット
４８：発光ダイオード（ＬＥＤ）
５２：検出器
１１０：本体
１１２：表示部
１１４：凸部
１１６：凹部
１１８：カラービューファインダ
１１９：メモリカード
１２０：ヒンジ部
１２２：ＦＰＣ
１２４：ＬＣＤ
１２６：バックライト
１２８：基板
１３０：ホルダー
１３２：ビス
１３４：スロット
１４０：ＬＥＤ
１４２：検出器
１４４：基板
１１２ａ：表示側の内面
１１２ｂ：側端面
２１４：凸部
２１６：ＩＲ受光素子
３１０：アクセスランプ
３１２：取付け面
３１４：凸部
３１６：凹部
【図１】
0005207752.tif 000002
【図２】
0005207752.tif 000003
【図３】
0005207752.tif 000004
【図４】
0005207752.tif 000005
【図５】
0005207752.tif 000006
【図６】
0005207752.tif 000007
【図７】
0005207752.tif 000008
【図８】
0005207752.tif 000009
【図９】
0005207752.tif 000010
【図１０】
0005207752.tif 000011
【図１１】
0005207752.tif 000012
【図１２】
0005207752.tif 000013
【図１３】
0005207752.tif 000014
【図１４】
0005207752.tif 000015
【図１５】
0005207752.tif 000016
【図１６】
0005207752.tif 000017
【図１７】
0005207752.tif 000018
【図１８】
0005207752.tif 000019
【図１９】
0005207752.tif 000020
【図２０】
0005207752.tif 000021
【図２１】
0005207752.tif 000022
【図２２】
0005207752.tif 000023